(57)【要約】【課題】メンテナンス等のとき、必要な部位のみを選定して処理できる光ファイバ心線余長収納ケース及びこれを用いた光接続箱を提供する。【解決手段】光ファイバ心線８同士を接続する光ファイバ心線接続部２１を収容すると共に、これら光ファイバ心線８の余長をそれぞれ同軸上に巻回して収納するケース本体２２に、その内部空間を上記軸方向に分割する仕切り板２３を設け、仕切り板２３の表面側に一方の光ファイバ心線８の余長と光ファイバ心線接続部２１とを収容する第１収容部２４を形成し、仕切り板２３の裏面側に他方の光ファイバ心線（片端コネクタ付光コード１０）の余長を収容する第２収容部２５を形成する。【選択図】図１
2007256762.tif 000002
【特許請求の範囲】
【請求項１】
光ファイバ心線同士を接続する光ファイバ心線接続部を収容すると共に、これら光ファイバ心線の余長をそれぞれ同軸上に巻回して収納するケース本体に、その内部空間を上記軸方向に分割する仕切り板を設け、該仕切り板の表面側に一方の光ファイバ心線余長と上記光ファイバ心線接続部とを収容する第１収容部を形成し、上記仕切り板の裏面側に他方の光ファイバ心線余長を収容する第２収容部を形成したことを特徴とする光ファイバ心線余長収納ケース。
【請求項２】
筐体の側面に作業用の開口を形成すると共に、該筐体内に水平方向に延びるシャフトを上記開口から出没するように縦軸回り回転自在に設け、該シャフトの回転端に、請求項１記載の光ファイバ心線余長収納ケースを設けたことを特徴とする光接続箱。
【請求項３】
上記シャフトの回転端に、上記光ファイバ心線余長収納ケースの側面をシャフトの軸回りに回転自在に設けた請求項２記載の光接続箱。
【発明の詳細な説明】
【技術分野】
【０００１】
本発明は、光ファイバ心線同士を接続する光ファイバ心線接続部を収容すると共に、これら光ファイバ心線の余長を巻回して収納する光ファイバ心線余長収納ケース及び光ファイバ心線余長収納ケースが実装された光接続箱に関するものである。
【背景技術】
【０００２】
光ファイバケーブル内の光ファイバ心線を伝送機器等へつなぎ込むには、一般的に図８に示すような光成端キャビネット４０を用いている。
【０００３】
光成端キャビネット４０は、光ファイバケーブル４を固定するためのケーブルコネクタ５と、光ファイバケーブル４内のテンションメンバ６を固定するテンションメンバ固定部７と、光ファイバケーブル４から引き出された光ファイバ心線８等を引き回して配線するための配線ダクト４１ａ、４１ｂ、４１ｃと、光ファイバ心線８に片端コネクタ付光コード１０を介して接続される光アダプタ１１を有する光ファイバ心線余長収納ケース４２とを備える。
【０００４】
図９及び図１０に示すように、光ファイバ心線余長収納ケース４２は、光ファイバ心線８の余長及び光ファイバ心線８に融着接続される片端コネクタ付光コード１０の余長を巻回して収容すると共に、光ファイバ心線８と片端光コネクタ付光コード１０を融着接続してなる光ファイバ心線接続部２１を収容するようになっている。また、光ファイバ心線余長収納ケース４２は、内部に光ファイバ心線接続部２１を保持するための接続部ホルダ３１を有すると共に、光ファイバ心線８及び片端コネクタ付光コード１０を留めるための留め爪４３を有する。光ファイバ心線余長収納ケース４２は、鉛直に延びる固定用シャフト４４を回転軸として回転することで手前側（光成端キャビネット４０の前面側）に引き出せるようになっている。
【０００５】
光アダプタ１１は、光ファイバ心線余長収納ケース４２の内側と外側とのそれぞれに光コネクタ４５を差し込むための差し込み口２７、２８を有し、ケース４２内側の差し込み口２７に片端コネクタ付光コード１０の光コネクタ４５を差し込むと共に、ケース４２外側の差し込み口２８に両端コネクタ付光コード１３の一方の光コネクタ４５を差し込むようになっている。
【０００６】
図８に示すように、両端コネクタ付光コード１３は、光コード余長収容ケース１４を経て配線ダクト４１ｃ、４１ａ内に配線されたのち、光コード固定部１６にて固定され、光成端キャビネット４０外へ引き出されて延びるようになっている。また、両端コネクタ付光コード１３は、他方の光コネクタ４５を図示しない伝送機器等に接続されるようになっている。
【０００７】
【特許文献１】特開平１０−１１５７１６号公報
【発明の開示】
【発明が解決しようとする課題】
【０００８】
しかしながら、光ファイバ心線８の余長と片端コネクタ付光コード１０の余長を１つのトレイの中に収容する構造であるため、メンテナンス等で光ファイバ心線８の余長のみを取り出したい際には、不必要である片端コネクタ付光コード１０まで取り出さなければならず、不本意な作業が追加されてしまうという課題があった。
【０００９】
また、逆に片端コネクタ付光コード１０だけを取り出したい際には、不必要である光ファイバ心線８に触手することになるため、その作業中に光ファイバ心線８に損傷を与えてしまう虞があるという課題があった。
【００１０】
そこで、本発明の目的は、上記課題を解決し、一方の光ファイバ心線余長の収容部と、他方の光ファイバ心線余長の収容部とを一体化させつつそれぞれの光ファイバ心線の余長を分離して収容でき、メンテナンス等のとき、必要な部位のみを選定して処理できる光ファイバ心線余長収納ケース及びこれを用いた光接続箱を提供することにある。
【課題を解決するための手段】
【００１１】
上記課題を解決するために本発明は、光ファイバ心線同士を接続する光ファイバ心線接続部を収容すると共に、これら光ファイバ心線の余長をそれぞれ同軸上に巻回して収納するケース本体に、その内部空間を上記軸方向に分割する仕切り板を設け、該仕切り板の表面側に一方の光ファイバ心線余長と上記光ファイバ心線接続部とを収容する第１収容部を形成し、上記仕切り板の裏面側に他方の光ファイバ心線余長を収容する第２収容部を形成したものである。
【００１２】
また、筐体の側面に作業用の開口を形成すると共に、該筐体内に水平方向に延びるシャフトを上記開口から出没するように縦軸回り回転自在に設け、該シャフトの回転端に、請求項１記載の光ファイバ心線余長収納ケースを設けたものである。
【００１３】
上記シャフトの回転端に、上記光ファイバ心線余長収納ケースの側面をシャフトの軸回りに回転自在に設けるとよい。
【発明の効果】
【００１４】
本発明によれば、一方の光ファイバ心線余長の収容部と、他方の光ファイバ心線余長の収容部とを一体化させつつそれぞれの光ファイバ心線の余長を分離して収容でき、メンテナンス等のとき、必要な部位のみを選定して処理することができる。
【発明を実施するための最良の形態】
【００１５】
本発明の好適実施の形態を添付図面を用いて説明する。
【００１６】
図１に示すように、光接続箱たる光成端キャビネット１は、箱状に形成され前面（側面）に開閉自在な作業用の開口２を有する筐体３と、筐体３の外側に設けられ光ファイバケーブル４を固定するためのケーブルコネクタ５と、筐体３内に設けられ光ファイバケーブル４内のテンションメンバ６を固定するテンションメンバ固定部７と、筐体３内に設けられ光ファイバケーブル４から引き出された光ファイバ心線８や後述する両端コネクタ付き光コード１３を引き回して配線するための配線ダクト９ａ、９ｂ、９ｃと、筐体３内に設けられ光ファイバ心線８に片端コネクタ付光コード１０を介して接続される光アダプタ１１を有する光ファイバ心線余長収納ケース１２と、筐体３内に設けられ光ファイバ心線余長収納ケース１２の光アダプタ１１に接続される両端コネクタ付光コード１３の余長を収容する光コード余長収容ケース１４と、筐体３内に設けられ光コード余長収容ケース１４から筐体３外へ向けて延びる両端コネクタ付光コード１３のコード部１５を固定する光コード固定部１６とを備えて構成されている。
【００１７】
図１、図２及び図３に示すように、光ファイバ心線余長収納ケース１２は、上下に薄い扁平な箱状に形成されており、筐体３に固定用シャフト１７及びケース支持シャフト（シャフト）１８を介して縦軸回り回転自在に、かつ、上下複数段に設けられている。具体的には、固定用シャフト１７は、上下に延びる円筒状に形成されており、その両端はシャフト固定具１９を介して筐体３に取り付けられている。ケース支持シャフト１８は、一端を固定用シャフト１７にその軸回りに回転自在に設けられており、回転することで筐体３の開口２から出没されるようになっている。ケース支持シャフト１８は、固定用シャフト１７に光ファイバ心線余長収納ケース１２と同じ数だけ上下に所定間隔に設けられている。ケース支持シャフト１８の他端（回転端）には、光ファイバ心線余長収納ケース１２の側面がシャフト１８の軸回りに回転自在に設けられており、上下方向に薄い姿勢で筐体３内に収容されるようになっている。また特に、光ファイバ心線余長収納ケース１２は、シャフト１８の軸回りに水平状態から±９０°（１８０°）の範囲で回転できるようになっており、作業姿勢に合わせて適宜の方向に向くように構成されると共に、上下逆の姿勢で筐体３内に収容されないようになっている。筐体３の内面には、光ファイバ心線余長収納ケース１２を収容した状態に保持するためのマグネット２０が設けられており、磁力で光ファイバ心線余長収納ケース１２を吸着して筐体３内の所定の位置に保持するようになっている。
【００１８】
図２、図３及び図４に示すように、光ファイバ心線余長収納ケース１２は、光ファイバケーブル４から延びる光ファイバ心線８と光ファイバ心線たる片端コネクタ付光コード１０とを接続する光ファイバ心線接続部２１を収容すると共に、これら光ファイバ心線８及び片端コネクタ付光コード１０の余長をそれぞれ同軸上に巻回して収納するケース本体２２と、ケース本体２２内に設けられケース本体２２の内部空間を光ファイバ心線８の巻き束の軸方向に分離分割する仕切り板２３と、仕切り板２３の表面側に形成され光ファイバケーブル４から延びる光ファイバ心線８の余長と光ファイバ心線接続部２１とを収容する光ファイバ心線収容部（第１収容部）２４と、仕切り板２３の裏面側に形成され片端コネクタ付光コード（光ファイバ心線）１０の余長を収容する光コード収容部（第２収容部）２５とを備えて構成されており、光ファイバ心線収容部２４と光コード収容部２５とが一体化された構造となっている。
【００１９】
ケース本体２２は、上下方向に薄い矩形枠状に形成されている。ケース本体２２の一側には光アダプタ１１を取り付けるためのアダプタパネル２６が形成されており、アダプタパネル２６には光アダプタ１１が、光コード収容部２５内に一方の差し込み口２７を突出させると共にケース本体２２外に他方の差し込み口２８を突出させて設けられている。また、ケース本体２２の上下には、光ファイバ心線収容部２４及び光コード収容部２５を覆うカバー２９が開閉自在に設けられており、光ファイバ心線８及び片端コネクタ付光コード１０のはみ出しを防止するようになっている。
【００２０】
仕切り板２３は、ケース本体２２内の空間を上下方向に二分するようにケース本体２２の内側に設けられている。仕切り板２３には光ファイバ心線収容部２４と光コード収容部２５との仕切りを一部切り欠く切欠部３０が形成されており、光ファイバ心線収容部２４から光コード収容部２５に片端コネクタ付光コード１０を通せるようになっている。また、仕切り板２３の表面には、光ファイバ心線接続部２１を保持するための接続部ホルダ３１が設けられている。
【００２１】
次に本実施の形態の作用を述べる。
【００２２】
光ファイバ心線余長収納ケース１２内に収容された光ファイバ心線８のメンテナンスを行う場合、図５に示すように、メンテナンスすべき光ファイバ心線８が収容された光ファイバ心線余長収納ケース１２を手前に引く。これにより、ケース支持シャフト１８が固定用シャフト１７を軸として水平に回転し、図６に示すように光ファイバ心線余長収納ケース１２が筐体３外に引き出される。この後、図７（ａ）に示すように水平な姿勢の光ファイバ心線余長収納ケース１２を図７（ｂ）または図７（ｃ）に示すように適宜ケース支持シャフト１８の軸回りに回転させて光ファイバ心線収容部２４を作業者の方向に向け、光ファイバ心線収容部２４のカバー２９を開き、光ファイバ心線収容部２４内の光ファイバ心線８のメンテナンス作業を行う。このとき、光ファイバ心線余長収納ケース１２は筐体３外に引き出されており、他の光ファイバ心線余長収納ケース１２から十分離間されているため、他の光ファイバ心線余長収納ケース１２に干渉することなく容易に姿勢を変えることができる。そして、光ファイバ心線収容部２４内には、片端コネクタ付光コード１０が収容されていないため、片端コネクタ付光コード１０まで取り出す必要がなく、効率よく作業できる。
【００２３】
また、片端コネクタ付光コード１０のメンテナンスを行う場合、上述と同様に光ファイバ心線余長収納ケース１２を筐体３外に引き出したのち、光ファイバ心線余長収納ケース１２を適宜ケース支持シャフト１８の軸回りに回転させて光コード収容部２５を作業者の方向に向け、光コード収容部２５のカバー２９を開き、光コード収容部２５内の片端コネクタ付光コード１０のメンテナンス作業を行う。このとき、光コード収容部２５内には、光ファイバ心線８が収容されていないため、作業中に光ファイバ心線８に触手することはなく、光ファイバ心線８の損傷を確実に防ぐことができる。
【００２４】
メンテナンス作業が終了したら、光ファイバ心線余長収納ケース１２をケース支持シャフト１８の軸回りに回転させて水平な姿勢に戻し、筐体３内に押し込んで収容する。このとき、光ファイバ心線余長収納ケース１２は、水平状態から±９０°の範囲で回転するようになっているため、水平な姿勢に戻したときに誤って上下逆になるようなことはなく、確実に正しい姿勢に戻すことができる。この後、光ファイバ心線余長収納ケース１２が所定の収容位置に戻ると、筐体３内のマグネット２０に吸着されて所定の位置に保持される。
【００２５】
このように、光ファイバ心線８と片端コネクタ付光コード１０（光ファイバ心線同士）を接続する光ファイバ心線接続部２１を収容すると共に、これら光ファイバ心線８及び片端コネクタ付光コード１０の余長をそれぞれ同軸上に巻回して収納するケース本体２２に、その内部空間を光ファイバ心線８の巻き束の軸方向に分割する仕切り板２３を設け、仕切り板２３の表面側に光ファイバ心線８の余長と光ファイバ心線接続部２１とを収容する光ファイバ心線収容部２４を形成し、仕切り板２３の裏面側に片端コネクタ付光コード１０の余長を収容する光コード収容部２５を形成したため、光ファイバ心線８及び片端コネクタ付光コード１０をそれぞれ別々に収容することが可能となり、メンテナンス等で光ファイバ心線８の余長のみを取り出したい際には、不必要である片端コネクタ付光コード１０まで取り出す必要がなく、不本意な作業が追加されるのを防ぐことができる。また逆に片端コネクタ付光コード１０だけを取り出したい際には、不必要である光ファイバ心線８に触手するのを防ぐことができ、光ファイバ心線８の損傷を確実に防ぐことができる。
【００２６】
筐体３の前面に作業用の開口２を形成すると共に、筐体３内に水平方向に延びるケース支持シャフト１８を開口２から出没するように縦軸回り回転自在に設け、ケース支持シャフト１８の回転端に光ファイバ心線余長収納ケース１２を設けて光成端キャビネット１を構成するものとしたため、光ファイバ心線余長収納ケース１２内の光ファイバ心線８等にメンテナンス等を施すときケース支持シャフト１８を回転させることで光ファイバ心線余長収納ケース１２を筐体３外に大きく引き出すことができ、作業を容易にできる。
【００２７】
ケース支持シャフト１８の回転端に、光ファイバ心線余長収納ケース１２の側面をケース支持シャフト１８の軸回りに回転自在に設けるものとしたため、簡易な構造で作業姿勢に合わせて光ファイバ心線余長収納ケース１２の向きを適宜調整することができ、作業性を向上できる。
【００２８】
なお、本実施の形態において光ファイバ心線８とは、単身線、テープ型心線、光コード等のあらゆるタイプのものを指す。また、光成端キャビネット１について説明したが、光接続箱はこれに限るものではなく、光クロージャ（光ファイバケーブル用クロージャ）、光成端箱等の光ファイバ心線及び光ファイバ心線接続部を収容するあらゆる装置のことを指す。
【００２９】
また、光ファイバ心線接続部２１は、光ファイバ心線収容部２４に収容するものとしたが、光コード収容部２５に収容するものとしてもよい。
【００３０】
光ファイバ心線収容部２４を上側とし、光コード収容部２５を下側にして筐体３内に光ファイバ心線余長収納ケース１２を収容するものとしたが、上下逆であってもよい。
【００３１】
固定用シャフト１７は、ケース支持シャフト１８を枢支する機能を有していれば、円筒状以外の形状であってもよい。
【００３２】
光ファイバ心線余長収納ケース１２に対するケース支持シャフト１８の取付位置は平面視中央に限るものではなく、光ファイバ心線余長収納ケース１２の側面のいずれの位置であってもよい。
【００３３】
また、４個の光アダプタ１１を有する光ファイバ心線余長収納ケース１２について図示説明したがこれに限るものではなく、光アダプタ１１の数はいくつであってもよい。
【００３４】
光ファイバ心線余長収納ケース１２はケース支持シャフト１８の軸回りに水平状態から±９０°回転可能なものとし、回転角度を規制するものとしたがこれに限るものではなく、回転角度を規制しないものとしてもよい。
【００３５】
また、光成端キャビネット１内の各装置の配置は、上述の実施の形態に限るものではなく、如何様でも構わない。
【図面の簡単な説明】
【００３６】
【図１】本発明の好適実施の形態を示す光成端キャビネットの正面図である。
【図２】図１の要部拡大図である。
【図３】図１の平面図である。
【図４】図３の底面図である。
【図５】光ファイバ心線余長収納ケースの動作を示す説明図である。
【図６】光ファイバ心線余長収納ケースを手前に引き出した状態を示す説明図である。
【図７】光ファイバ心線余長収納ケースの動作を示す説明図であり、（ａ）は水平な姿勢の光ファイバ心線余長収納ケースを示し、（ｂ）は水平姿勢から９０°回転させた光ファイバ心線余長収納ケースを示し、（ｃ）は水平姿勢から−９０°回転させた光ファイバ心線余長収納ケースを示す。
【図８】従来の光成端キャビネットの正面図である。
【図９】図８の要部拡大図である。
【図１０】図９の平面図である。
【符号の説明】
【００３７】
１  光成端キャビネット（光接続箱）
２  開口
３  筐体
８  光ファイバ心線
１０  片端コネクタ付光コード
１２  光ファイバ心線余長収納ケース
１８  ケース支持シャフト（シャフト）
２１  光ファイバ心線接続部
２２  ケース本体
２３  仕切り板
２４  光ファイバ心線収容部（第１収容部）
２５  光コード収容部（第２収容部）
【図１】
2007256762.tif 000003
【図２】
2007256762.tif 000004
【図３】
2007256762.tif 000005
【図４】
2007256762.tif 000006
【図５】
2007256762.tif 000007
【図６】
2007256762.tif 000008
【図７】
2007256762.tif 000009
【図８】
2007256762.tif 000010
【図９】
2007256762.tif 000011
【図１０】
2007256762.tif 000012